(57)【特許請求の範囲】
【請求項１】
カメラ部と該カメラ部により撮像した画像を表示する平面型表示装置と上記カメラ部により撮像して画像を記録する記録部とプリント用紙に印刷を行なうプリンターとを備え、バッテリー及び外部電源により駆動されるプリンター付カメラであって、
バッテリーによるプリンターの駆動時には、プリンター以外の機構部の駆動を制限し、
外部電源によるプリンターの駆動時であっても、外部電源の容量が不足する場合には、プリンター以外の機構部の駆動を制限した
ことを特徴とするプリンター付カメラ。
【請求項２】
上記プリンター以外の機構部がカメラ部の機構部である
ことを特徴とする請求項１に記載のプリンター付カメラ。
【請求項３】
上記プリンター以外の機構部が記録部の機構部である
ことを特徴とする請求項１に記載のプリンター付カメラ。
【請求項４】
上記プリンター以外の機構部が平面型表示装置である
ことを特徴とする請求項１に記載のプリンター付カメラ。
【請求項５】
プリンターを駆動するときに上記平面型表示装置の駆動を制限する場合、プリンターの駆動開始に遅延させて、平面型表示装置の駆動（表示）を停止させた
ことを特徴とする請求項４に記載のプリンター付カメラ。
【発明の詳細な説明】
【０００１】
【発明の属する技術分野】
バッテリー駆動を行なうプリンター付カメラに関する。詳しくは、プリンターの駆動時における省電力化を図る技術に関する。
【０００２】
【従来の技術】
近年、特に携帯型のカメラが普及し、かかる携帯型のカメラはバッテリーによって駆動される。
【０００３】
また、このような携帯型カメラであって、撮影した画像をその場で、プリントアウトできるように、プリンターを備えたものが出現するに至った。
【０００４】
ところで、バッテリー駆動のプリンター付カメラはあっては、プリンターの駆動時にカメラ、記録装置、或いは表示装置の駆動を制限するものはなかった。
【０００５】
【発明が解決しようとする課題】
このようなバッテリー駆動のプリンター付カメラにおいて、プリンター駆動時に、他の機構部、例えば、カメラの機構部（ズーミング、ファーカシング等）、記録装置又は表示装置等を駆動してしまうと、バッテリーの許容電力をオーバーしてしまい、プリンターを含めた各機構部の動作に不具合が生じたり、或いは大容量の電流が短時間に供給されてしまいバッテリーの性能劣化が生じるという問題があった。
【０００６】
そこで、本発明は、バッテリー駆動を行なうプリンター付カメラにおいて、プリンターの駆動時における、省電力化を図ることを課題とする。
【０００７】
【課題を解決するための手段】
本発明プリンター付カメラは、上記課題を解決するために、カメラ部と該カメラ部により撮像した画像を表示する平面型表示装置と上記カメラ部により撮像して画像を記録する記録部とプリント用紙に印刷を行なうプリンターとを備え、バッテリー及び外部電源により駆動されるプリンター付カメラであって、バッテリーによるプリンターの駆動時には、プリンター以外の機構部の駆動を制限し、外部電源によるプリンターの駆動時であっても、外部電源の容量が不足する場合には、プリンター以外の機構部の駆動を制限したものである。
【０００８】
従って、本発明プリンター付カメラにあっては、バッテリーによりプリンターを駆動したときには、プリンター以外の機構部の駆動を制限したので、各種の機構部、駆動部の電力の消費が重なることはなく、よって、バッテリー駆動の消費電力を軽減することができ、バッテリー寿命を延ばすことができる。また、外部電源によりプリンターを駆動したときであっても、外部電源の容量が不足する場合には、プリンター以外の機構部の駆動を制限することができる。
【０００９】
【発明の実施の形態】
以下に、本発明プリンター付カメラの実施の形態について添付図面を参照して説明する。図示した実施の形態は、液晶表示パネルを備えたカメラ一体型ＶＴＲ（ビデオテープレコーダ）に適用したものである。
【００１０】
図１乃至図５は、本発明プリンター付カメラの実施の形態を示すもので、図１及び図２にカメラ一体型ＶＴＲ１の外観を示す。
【００１１】
カメラ一体型ＶＴＲ１はその筐体２内にカメラ部３、記録部としてのＶＴＲ部４、プリンター５が内蔵されている。また、側面には液晶表示パネル６が、上部にはビューファインダー７が、それぞれ取り付けられている。液晶表示パネル６は使用時には図２に示すように開き、使用しないときには図１に示すように閉じた状態とする。
【００１２】
また、液晶表示パネル６を筐体２に対して開いたときに、プリンター５にプリント用紙９を挿入するための給紙口１０が露出するようになっている。従って、プリンター５は、液晶表示パネル６を筐体２に対して開かなければ、動作しないようになっている。尚、プリント用紙９は給紙口１０からプリンター５内に挿入されると、プリンター５内で印刷作業が行われ、再び、給紙口１０から排出されるようになっている。印刷作業は、プリント用紙９がプリンター５内で複数回、往復移動されることにより、完了する。
【００１３】
尚、上記した液晶表示パネル６やビューファインダー７は、撮影時の構図決定や、撮影された画像の確認に用いられる他、印刷すべき画像の選択や確認及びプリンター５による印刷作業の状況の表示にも用いられる。
【００１４】
そして、カメラ部３は、ズーミング、ファーカシングを行なうためのレンズ駆動機構、絞り調整を行なうアイリス機構等を備えており、これらを駆動するために電力が必要である。
【００１５】
ＶＴＲ部４は、カセットローディング機構、テープローディング機構、テープ走行機構等を備えており、これらを駆動するために電力が必要である。
【００１６】
また、液晶表示パネル６及びビューファインダー７にあっては、画像を表示するために電力が必要である。
【００１７】
プリンター５にあっても、印刷作業（印刷、紙送り等）を行なうために、電力が必要である。
【００１８】
このようにカメラ一体型ＶＴＲ１にあっては、電力を必要とする機構部を複数有し、携帯を実現するために筐体２の後部に電力を供給するためのバッテリー８が着脱自在に取着される。
【００１９】
そして、カメラ一体型ＶＴＲ１にあっては、プリンター５の動作時には、他のカメラ部３、ＶＴＲ部４又は液晶表示パネル６の駆動を制限するようになっている。
【００２０】
図３は、カメラ部３の駆動を制限した場合のフローチャート図を示す。
【００２１】
先ず、プリント用紙９をプリンター５の上記給紙口１０に差し込むと、図示しないローラによりプリント用紙９の先端部が噛み込まれ、プリンター５のローラは停止する（Ｓｔｅｐ１）。
【００２２】
次に、カメラ部３が動作中か否か判断する（Ｓｔｅｐ２）。カメラ部３の動作には、上述のようにフォーカス機構部の動作、ズーム機構部の動作、アイリス機構部の動作などが含まれるが、最も消費電力の大きい機構部の動作を停止させることが有効である。
【００２３】
カメラ部３が動作中の場合は、Ｓｔｅｐ３に進み、カメラ部３の動作を中止した後、Ｓｔｅｐ４に進む。
【００２４】
カメラ部３が動作していない場合は、Ｓｔｅｐ４に進み、プリンター５がスタンバイ状態になり、プリンター５のスイッチ（図示は省略する。）のＯＮ（入力）待ちとなる。
【００２５】
プリンター５のスタンバイ状態において、プリンター５のスイッチをＯＮすることにより（Ｓｔｅｐ５）、プリンター５が駆動されてプリント動作が開始される（Ｓｔｅｐ６）。具体的には、上記ローラが駆動され、これに噛み込まれたプリント用紙９がさらにプリンター５内に挿入され、印刷作業が開始される。
【００２６】
これにより、カメラ部３の動作中にプリンター５の駆動が選択されると、プリンター５の動作時に不必要なカメラ部３の動作が停止され、バッテリー８の消費電力を軽減できる。
【００２７】
尚、上記フローチャート図（図３）において、カメラ部３の動作をプリント用紙９のプリンター５への噛み込み状態で停止するようにしたが、これに限らず、例えば、プリンター５の駆動スイッチのＯＮを検出してカメラ部３の動作を停止するようにしても良い。
【００２８】
図４は、ＶＴＲ部４の駆動を制限した場合のフローチャート図を示す。
【００２９】
先ず、プリント用紙９をプリンター５の上記給紙口１０に差し込むと、上記Ｓｔｅｐ１と同様に図示しないローラによりプリント用紙９の先端部が噛み込まれ、プリンター５のローラが停止する（Ｓｔｅｐ１Ａ）。
【００３０】
この状態で、ＶＴＲ部４が動作中か否か判断する（Ｓｔｅｐ２Ａ）。ＶＴＲ部４の動作には、上述のようにカセットローディング機構の動作、テープローディング機構の動作、テープ走行機構の動作などが含まれるが、最も消費電力の大きい機構部の動作を停止させることが有効である。
【００３１】
ＶＴＲ部４が動作中の場合は、Ｓｔｅｐ３Ａに進み、ＶＴＲ部４の動作を中止した後、Ｓｔｅｐ４Ａに進む。
【００３２】
ＶＴＲ部４が動作していない場合は、Ｓｔｅｐ４Ａに進み、プリンター５がスタンバイ状態になり、プリンター５のスイッチのＯＮ（入力）待ちとなる。
【００３３】
プリンター５のスタンバイ状態において、プリンター５のスイッチをＯＮすることにより（Ｓｔｅｐ５Ａ）、プリンター５が駆動されてプリント動作が開始される（Ｓｔｅｐ６Ａ）。具体的には、上記ローラが駆動され、これに噛み込まれたプリント用紙９がさらにプリンター５内に挿入され、印刷作業が開始される。
【００３４】
これにより、ＶＴＲ部４の動作中にプリンター５の駆動が選択されると、プリンター５の動作時に不必要なＶＴＲ部４の動作が停止され、バッテリー８の消費電力を軽減できる。
【００３５】
尚、ＶＴＲ部４の動作をプリンター５の動作に優先させるようにすることもできる。かかる場合、どちら（ＶＴＲ部４又はプリンター５）を優先させるかの選択スイッチを設けることにより容易に実現することができ、ＶＴＲ部４を優先させた場合、ＶＴＲ部４の停止を検出することにより、プリンター５を動作させるようにすると良い。
【００３６】
図５は、液晶表示パネル６の駆動（表示）を制限した場合のフローチャート図を示す。
【００３７】
尚、プリンター５を駆動させるときには、プリントする画像を液晶表示パネル６で確認するものであるため、液晶表示パネル６は動作（表示）中になっている。液晶表示パネル６の動作には、液晶表示パネル６の各電極への電圧印加、バックライトの点灯などが含まれるが、最も消費電力の大きい機構部の動作を停止させることが有効である。
【００３８】
そして、プリト用紙９をプリンター５の上記給紙口１０に差し込むと、上記Ｓｔｅｐ１と同様に図示しないローラによりプリント用紙９の先端部が噛み込まれ、プリンター５のローラは停止する（Ｓｔｅｐ１Ｂ）。
【００３９】
この状態は、プリンター５のスタンバイ状態であり、Ｓｔｅｐ３Ｂのプリンター５のスイッチのＯＮ（入力）待ちとなる。
【００４０】
プリンター５のスタンバイ状態において、プリンター５のスイッチをＯＮすることにより（Ｓｔｅｐ３Ｂ）、液晶表示パネル６の表示を遅延させる回路（図示は省略する。）が選択されたか否かを判断する（Ｓｔｅｐ４Ｂ）。
【００４１】
この表示遅延回路は、プリンター５の動作開始した後、所定時間経過後に液晶表示パネル６の表示を消そうとするものであり、印刷作業の開始後においても、液晶表示パネル６により選択した画像を確認することができ使い勝手を良好にする。
【００４２】
そして、表示遅延回路が選択されない場合は、Ｓｔｅｐ５Ｂに進み、液晶表示パネル６の表示を消し、さらに、Ｓｔｅｐ６Ｂに進んで、印刷作業が開始される。
【００４３】
また、Ｓｔｅｐ４Ｂで表示遅延回路を選択した場合は、Ｓｔｅｐ７Ｂに進んで、印刷作業が開始される。
【００４４】
Ｓｔｅｐ７Ｂで印刷作業が開始された後、Ｓｔｅｐ８Ｂにおいて、所定時間が経過されたか否かが判断され、所定時間経過した場合には、液晶表示パネル６はその表示が消されるようになっている（Ｓｔｅｐ９Ｂ）。
【００４５】
これにより、液晶表示パネル６の動作（表示）中にプリンター５の駆動が選択されると、プリンター５の動作時に不必要な液晶表示パネル６の動作（表示）が直ちに、又は所定時間経過後、停止され、バッテリー８の消費電力を軽減できる。
【００４６】
また、上記フローチャート図（図５）において、液晶表示パメル６の表示を消すのに表示遅延回路を用いたが、これに限らず、印刷作業開始後、最も電力の消費が多いプリント動作が開始したことを検出して液晶表示パネル６の表示を消すようにしても良い。即ち、プリンター５の駆動スイッチのＯＮにより、先ず、ローラに噛み込まれたプリント用紙９がローラにより紙送りされて筐体２内に一旦入り込み、その後逆方向に紙送りされるときに実際のプリントが行われるため、そのプリントが開始されるまで、つまり、ローラによる最初の紙送りが完了した後、上記液晶表示パネル６の表示を消すようにしても良い。
【００４７】
尚、上記実施の形態の説明において、プリンター駆動開始時に、カメラ部３、ＶＴＲ部４又は液晶表示パネル６の各別の動作を制限するようにしたが、本発明はこれに限らず、複合的に組み合わせて各機構部の動作を制限するようにしても良いことは勿論である。
【００４８】
また、上記実施の形態において、本発明をカメラ一体型ＶＴＲ１に適用したものについて説明したが、本発明はこれに限らず、静止画の撮影をするカメラであっても良く、また、その記録部をＶＴＲとして、記録媒体がテープ状記録媒体であるものについて説明したが、これに限らず、ディスク状記録媒体や半導体メモリなどであっても良い。
【００４９】
更に、上記実施の形態において、プリンターがカメラに一体に設けられたものについて説明したが、これに限らず、プリンターがカメラ本体から着脱自在にされたものでも良い。かかる場合、プリンターをカメラ本体に取り付けることにより、これを検出して、上記各機構部の動作を制限するようにすると良い。
【００５０】
更にまた、上記実施の形態においては、平面型表示装置として液晶表示パネルを用いたが、本発明はこれに限らず、ＥＬ（electro luminescent）表示装置、ＰＤＰ（Plasma display panel）表示装置などてあっても良い。
【００５１】
また、上記実施の形態においては、バッテリー駆動のみについて説明したが、当該プリンター付カメラは、バッテリー駆動の他、ＡＣアダプターなどの別電源から電力を供給してプリンターを駆動することもできる。この場合には、プリンターの駆動時の上記各機構部の動作の制限を解除するようにするようにしても良いが、ＡＣアダプターによってプリンターを駆動する場合に、ＡＣアダプターの容量が小さいときは、上記したようにプリンターの駆動に伴い他の機構部の駆動が制限される。
【００５２】
この他、上記した実施の形態において示した各部の形状及び構造は、何れも本発明を実施するに際して行う具体化のほんの一例を示したものに過ぎず、これらによって本発明の技術的範囲が限定的に解釈されることがあってはならないものである。
【００５３】
【発明の効果】
以上に記載したところから明らかなように、本発明プリンター付カメラは、カメラ部と該カメラ部により撮像した画像を表示する平面型表示装置と上記カメラ部により撮像して画像を記録する記録部とプリント用紙に印刷を行なうプリンターとを備え、バッテリー及び外部電源により駆動されるプリンター付カメラであって、バッテリーによるプリンターの駆動時には、プリンター以外の機構部の駆動を制限し、外部電源によるプリンターの駆動時であっても、外部電源の容量が不足する場合には、プリンター以外の機構部の駆動を制限したことを特徴とする。
【００５４】
従って、本発明プリンター付カメラにあっては、バッテリーによりプリンターを駆動したときには、プリンター以外の機構部の駆動を制限したので、各種の機構部、駆動部の電力の消費が重なることはなく、よって、バッテリー駆動の消費電力を軽減することができ、バッテリー寿命を延ばすことができる。また、外部電源によりプリンターを駆動したときであっても、外部電源の容量が不足する場合には、プリンター以外の機構部の駆動を制限することができる。
【００５５】
請求項２に記載した発明は、上記プリンター以外の機構部をカメラ部の機構部としたので、プリンター駆動時に不要なカメラ部の機構部を停止させることができ、バッテリーの寿命を延ばすことができる。
【００５６】
請求項３に記載した発明は、上記プリンター以外の機構部を記録部の機構部としたので、プリンター駆動時に不要な記録部の機構部を停止させることができ、バッテリーの寿命を延ばすことができる。
【００５７】
請求項４に記載した発明は、上記プリンター以外の機構部を平面型表示装置としたので、特に消費電力の大きな平面型表示装置をプリンター駆動時に停止させることができ、バッテリーの寿命を延ばすことができる。
【００５８】
請求項５に記載した発明は、プリンター駆動時にその駆動開始後、所定時間経過後、平面型表示装置の表示を消すことができ、印刷作業開始後にあっても、印刷しようとする画像の確認をすることができ、使い勝手を良好にすることができる。
【図面の簡単な説明】
【図１】本発明をカメラ一体型ＶＴＲに適用した実施の形態を示すものであり、本図はカメラ一体型ＶＴＲの全体構成を示す側面図である。
【図２】平面図である。
【図３】カメラ部の機構部を制限する場合のフローチャート図である。
【図４】ＶＴＲ部の機構部を制限する場合のフローチャート図である。
【図５】液晶表示パネルを制限する場合のフローチャート図である。
【符号の説明】
１…カメラ一体型ＶＴＲ（プリンター付カメラ）、３…カメラ部、４…ＶＴＲ部（記録部）、５…プリンター、６…液晶表示パネル（平面型表示装置）、８…バッテリー、９…プリント用紙
【図１】
0004324831.tif 000002
【図２】
0004324831.tif 000003
【図３】
0004324831.tif 000004
【図４】
0004324831.tif 000005
【図５】
0004324831.tif 000006